(57)【要約】      （修正有）【課題】音特性の低下を招くことなく、内蔵マイクの風雑音を適切に低減することができる内蔵マイク用風防ユニットを提供する。【解決手段】内蔵マイク及び各種アクセサリーを取り付けるためのアクセサリーシュー７を搭載した撮像装置１９の、前記アクセサリーシューに取り付け可能とする為の取り付け部と、前記撮像装置の前記内蔵マイクによる録音時の風雑音を低減する防音部５と、を備える内蔵マイク用風防ユニット１。【選択図】図７
2014204247.tif 000002
【特許請求の範囲】
【請求項１】
内蔵マイク及び各種アクセサリーを取り付けるためのアクセサリーシューを搭載した撮像装置の、前記アクセサリーシューに取り付け可能とする為の取り付け部と、前記撮像装置の前記内蔵マイクによる録音時の風雑音を低減する防音部を備えたことを特徴とする内蔵マイク用風防ユニット。
【請求項２】
請求項１に記載の風防ユニットが取り付け可能な撮像装置であって、前記撮像装置は更に、前記風防ユニットが取り付けられたことを検知する為の検知手段と、前記マイク部より録音された音声のうち、特定の周波数帯を抑制する制御を行うことが可能な音声制御手段、及び前記音声制御手段のオン/オフが切り替え可能な切り替え手段を有すると共に、前記検知手段において前記風防ユニットの取り付けを検知した際には、前記切り替え手段によって、前記音声制御手段を自動的にオフする機能制御手段を設けたことを特徴とする撮像装置。
【請求項３】
請求項２に記載の撮像装置に対して取り付け可能であることを特徴とする請求項１に記載の内蔵マイク用風防ユニット。
【発明の詳細な説明】
【技術分野】
【０００１】
本発明は内蔵マイク用の風防ユニットに関する。
【背景技術】
【０００２】
撮像装置にアクセサリーとして取り付けられる外付けマイクの中には、風雑音による騒音を低減する為の風防付きマイクがある。また、外付けマイクに対してあとから装着できる風防なども見られる。一方、内蔵マイクの風雑音対策としては、撮像装置本体の電気的なフィルタリングにより、特定の周波数帯をカットする手段がある(特許文献１参照）。
【先行技術文献】
【特許文献】
【０００３】
【特許文献１】特開平８−３２２０９６号公報
【発明の概要】
【発明が解決しようとする課題】
【０００４】
特許文献１のような方法だと、風雑音とは関係の無い音も同時にカットされてしまい、音特性の低下を招くという問題があった。
【０００５】
本発明ではこれを考慮し、音特性の低下を招くことなく、内蔵マイクの風雑音を適切に低減することができる内蔵マイク用風防ユニットを提案することを目的とする。
【課題を解決するための手段】
【０００６】
上記の問題を解決する為に、本発明の内蔵マイク用風防ユニットは、内蔵マイク及び各種アクセサリーを取り付けるためのアクセサリーシューを搭載した撮像装置の、前記アクセサリーシューに取り付け可能とする為の取り付け部と、前記撮像装置の前記内蔵マイクによる録音時の風雑音を低減する防音部を備える。
【発明の効果】
【０００７】
本発明の内蔵マイク用風防ユニットによれば、音特性の低下を招くことなく、内蔵マイクの風雑音を適切に低減することができる。
【図面の簡単な説明】
【０００８】
【図１】実施例１における、風防ユニットと、前期風防ユニットの取り付け先である、アクセサリーシューおよびその周囲の構成を示した斜視図
【図２】実施例１における、風防ユニットをシューユニット７に取り付けた後の図
【図３】図２をM方向から見た図
【図４】図３におけるN-N断面図
【図５】実施例１における、風防ユニットが装着可能な撮像装置のブロック図
【図６】実施例１における、風防ユニットが装着可能な撮像装置の外観斜視図
【図７】実施例１における、風防ユニット装着時の撮像装置の外観斜視図
【図８】実施例２における、風防ユニットが装着可能な撮像装置の外観斜視図
【図９】実施例２における、風防ユニットの外観斜視図
【図１０】実施例２における、風防ユニット装着時の撮像装置の外観斜視図
【発明を実施するための形態】
【０００９】
以下、本発明の効果的な実施例についての詳細な説明を行う。
【００１０】
図１は本発明である内蔵マイク用の風防ユニットと、前期風防ユニットの取り付け先である、アクセサリーシューおよびその周囲の構成を示した斜視図である。
【００１１】
風防ユニット１は、ガイドリブ２、電気接点部３、開口部４、防音部５、接着部６からなる。開口部４はα方向からの音を遮蔽しないよう設けられており、開口部４の周囲は防音部５を固定する為の接着部６となっている。上記接着部６にて接着により風防ユニット１に固定される防音部５は、α方向からの風雑音を低減させる為のものであり、材質としては毛皮やウレタン材などが使用される。
【００１２】
アクセサリーシューユニット７（以下シューユニット７と略す）は撮像装置などに搭載され、外付けマイク、外付けストロボといったアクセサリー類を撮像装置で使用可能とする為のものである。シューユニット７は風防ユニット１取り付け時にガイドの役割を果たす溝部13a、13bを含んだ板金８、接点バネ群１０を含むシューコネクタ９、板金８とシューコネクタ９を固定する為のビス１４、及びフレキ端子部１２を含むフレキ１１、からなる。
【００１３】
次に、風防ユニット１のシューユニット７への取り付け詳細について説明する。
【００１４】
図１において、風防ユニット１は図のβ方向に移動させることにより、シューユニット７に取り付けることができる。この時、ガイドリブ２a及び図１において図示しない、ガイドリブ２aと対向側に設けられたもう一本のガイドリブ２bがアクセサリーシューのガイド溝１３b、１３aと嵌合し、シューユニット７に対して適切な位置へとガイドされて取り付けられる。図２は風防ユニット１をシューユニット７に取り付けた後の図であり、図３は図２をM方向から見た図であり、図４は図３におけるN-Nに沿った断面図である。
【００１５】
図４に示すように、接点バネ群１０は上下に接点バネ１５、１６が設けられ、風防ユニット１がシューユニット７に取り付けられた状態において、接点バネ１５は風防ユニット１の電気接点部３を、接点バネ１６はフレキ接点部１２と接している。よって風防ユニット１の電気の点部３とフレキ端子部１２は接点バネ群１０を介して電気的接続が為されることになり、風防ユニット１の着脱情報はフレキ１１を介して後述する撮像装置本体の制御部へと送られる。
【００１６】
次に、上述のシューユニット７を搭載した撮像装置本体に関して説明する。
【００１７】
図５は撮像装置の構成を示したブロック図である。
【００１８】
撮像装置１００は制御部１０１、記録部１０２、撮像部１１２、マイク部１０３、表示部１０４、電源ボタン１０５、操作ボタン１０６、シューユニット１０７からなり、制御部１０１は更に風雑音カット機能切り替え部１０８、音声処理部１０９、検知部１１０などを含んでいる。操作ボタン１０６は風雑音カット機能のオン/オフを切り替えるボタンである。風雑音カット機能がオンの場合は、マイク部から録音された音声のうち、風雑音の原因となる、特定の周波数帯が音声処理部１０９によって自動的にカットされて記録部１０２に記録される。
【００１９】
このようにして記録された音声は、風雑音だけでなく、通常の音声においても風雑音に近い周波数帯がカットされてしまう為、風雑音が軽減される代わりに、音特性自体も低下してしまうというデメリットがある。
【００２０】
また、シューユニット１０７には前述のように風防ユニット１１１が取り付け可能であり、風防ユニット１１１取り付け時には、シューユニット１０７を介して制御部１０１内の検知部１１０にて取り付けを検知する。検知部１１０が風防ユニット１１１の取り付けを検知すると、その情報は風雑音カット機能切り替え部１０８へと伝わり、この時は風雑音カット機能はオン/オフいずれの状態であっても、自動的にオフになる。これにより、風防ユニット装着時に風雑音カット機能がオンになっていたために余計に周波数帯がカットされてしまうといった事態を防ぐことができ、より撮像装置の使い勝手が向上する。
【００２１】
図６は図５のブロック図で説明した撮像装置の外観斜視図である。
【００２２】
撮像装置１９は記録部２０、撮像部２１、表示部２２、電源ボタン２４、マイク部２５、操作ボタン２６及びシューユニット７からなる。図５の撮像装置１９において、周囲の風が強い場合などに撮影を行うと、マイク部２５に風が当たって乱流・カルマン渦γが発生し、これが風雑音の原因となって、撮影時の音特性を低下させてしまう。
【００２３】
図７は図６の撮像装置１９に本発明の風防ユニット１を装着した図である。風防ユニット１を取り付けた時、防音部５は図６に示したマイク部２５を覆い隠すようになっている。またこの時、防音部５はマイク部２５に対してチャージされ、防音部５とマイク部２５との間に隙間ができないようになっている。これによって図６の撮像装置１９で発生していた乱流・カルマン渦γは防音部５にて抑制される為、風雑音を効果的に軽減することができる。また、開口部４は図６のマイク部２５に対して十分大きく開けられている為、風防ユニット１装着時に、マイクの集音特性が低下することはない。
【００２４】
上述のような構成とすることにより、防音部５にて適切に風雑音を低減することができるとともに、撮像装置の風雑音カット機能によって、必要な音声の周波数帯をも抑制してしまうといった事態を防ぐことができる。よって、本発明によれば、音特性の低下を招くことなく、内蔵マイクの風雑音を適切に低減することができる。
【００２５】
次に、二つ目の実施例として、図８のように２ヶ所にマイク部３５a、３５bが搭載されている撮像装置２９に対して適用できる風防ユニットについて説明する。実施例１と同様、マイク部３５a、３５bに風が当たると、乱流・カルマン渦γが発生し、これが風雑音の原因となって、撮影時の音特性を低下させてしまう。
【００２６】
図９は図８の撮像装置２９に取り付け可能な風防ユニットである。防音部４５a、４５bが接着部４６a、４６bにそれぞれ接着されている。ガイドリブ４２、電気接点部４３、開口部４４に関しては、実施例１と同じ役割を果たす為、ここでは説明を省略する。
【００２７】
図１０は図９の風防ユニット４１を図８の撮像装置２９に取り付けた図である。
【００２８】
風防ユニット４１を取り付けた時、防音部４５a、４５bは図８に示したマイク部３５a、３５bを覆い隠すようになっている。またこの時、防音部４５a、４５bはマイク部３５a、３５bに対してチャージされ、防音部４５a、４５bとマイク部３５a、３５bとの間に隙間ができないようになっている。これによって図８の撮像装置２９で発生していた乱流・カルマン渦γは防音部４５a、４５bにて抑制される為、風雑音を効果的に軽減することができる。また、実施例１と同様、風防ユニット４１をシューユニット３７に取り付けた際には撮像装置２９の風雑音カット機能はオン/オフいずれの状態であっても、自動的にオフになる。これにより、風防ユニット４１装着時に風雑音カット機能がオンになっていたために余計に周波数帯がカットされてしまうといった事態を防ぐことができ、より撮像装置の使い勝手が向上する。
【００２９】
以上のような構成とすることにより、内蔵マイクが２ヶ所に搭載された撮像装置であっても、防音部４５a、４５bにて適切に風雑音を低減することができるとともに、撮像装置の風雑音カット機能によって、必要な音声の周波数帯をも抑制してしまうといった事態を防ぐことができる。
【符号の説明】
【００３０】
1.風防ユニット
2a,2b.ガイドリブ
3.電気接点部
4.開口部
5.防音部
6.接着部
7.シューユニット
8.板金
9.シューコネクタ
10.接点バネ群
11.フレキ 
12.フレキ端子部
13a,13b.ガイド溝
14.ビス
15.接点バネ
16.接点バネ
19.撮像装置
20.記録部
21.撮像部
22.表示部
24.電源ボタン
25.マイク部
26.操作ボタン
29.撮像装置
30.記録部
31.撮像部
32.表示部
34.電源ボタン
35a,35b.マイク部
36.操作ボタン
37.シューユニット
41.風防ユニット
42.ガイドリブ
43.電気接点部
44.開口部
45a,45b.防音部
46a,46b.接着部
100.撮像装置
101.制御部
102.記録部
103.マイク部
104.表示部
105.電源ボタン
106.操作ボタン
107.シューユニット
108.風雑音カット機能切り替え部
109.音声処理部
110.検知部
111.風防ユニット
【図１】
2014204247.tif 000003
【図２】
2014204247.tif 000004
【図３】
2014204247.tif 000005
【図４】
2014204247.tif 000006
【図５】
2014204247.tif 000007
【図６】
2014204247.tif 000008
【図７】
2014204247.tif 000009
【図８】
2014204247.tif 000010
【図９】
2014204247.tif 000011
【図１０】
2014204247.tif 000012